(57)【要約】【課題】成形カーペットの強度を向上させずとも、ワイヤハーネス付き成形カーペットの保管時に、ワイヤハーネスの複数のハーネス構成電線の荷重による成形カーペットの型崩れを防止すると共に、ハーネス構成電線相互の絡み着きを防止することのできるカーペット保護用トレイを提供すること。【解決手段】車体のフロアパネル上に組み付けられる成形カーペット６１の上面に重ねられると、上方からの負荷による成形カーペット６１の型崩れを抑止可能な硬質材料製のカーペット保護用トレイ４であって、その上面には、一部が成形カーペット６１に固定されてフロアパネル上に配索されるワイヤハーネス６２の成形カーペット６１の外側に延出する複数のハーネス構成電線６２ａ，６２ｂ，６２ｃ，……を個別に収容可能な複数のハーネス収容部４１ａ，４１ｂ，４１ｃ，……が区画形成されている。【選択図】図３
2016086595.tif 000002
【特許請求の範囲】
【請求項１】
車体のフロアパネルの立体構造に相応する立体構造に成形されて前記フロアパネル上に組み付けられる成形カーペットの上面に重ねられると、上方からの負荷による前記成形カーペットの型崩れを抑止可能な硬質材料製のカーペット保護用トレイであって、
一部が前記成形カーペットに固定されて前記フロアパネル上に配索されるワイヤハーネスの、前記成形カーペットの外側に延出する複数のハーネス構成電線を、個別に収容可能な複数のハーネス収容部が、上面に区画形成されたことを特徴とするカーペット保護用トレイ。
【請求項２】
前記ハーネス収容部は、収容する前記ハーネス構成電線を構成する電線及びコネクタを位置規制して、前記電線及び前記コネクタが外部からの振動等で当該収容部外に飛び出すことを抑止する位置規制手段を備えていることを特徴とする請求項１に記載のカーペット保護用トレイ。
【請求項３】
前記成形カーペットに装備される折り畳み部に対応する位置には、前記成形カーペットと一体に当該カーペット保護用トレイを折り畳み可能にする蛇腹状の可撓部を備えたことを特徴とする請求項１又は２に記載のカーペット保護用トレイ。
【請求項４】
前記複数のハーネス収容部は、当該カーペット保護用トレイを前記蛇腹状の可撓部で折り畳んだときに、同一の形状及び大きさの前記ハーネス収容部同士が重ならないように、前記各ハーネス収容部の形状や配列を設定したことを特徴とする請求項３に記載のカーペット保護用トレイ。
【発明の詳細な説明】
【技術分野】
【０００１】
本発明は、車体のフロアパネルに組み付けられるワイヤハーネス付きの成形カーペットの保管時に使用するカーペット保護用トレイに関する。
【背景技術】
【０００２】
図１３は、下記特許文献１に開示されたワイヤハーネス付き成形カーペットの斜視図である。
【０００３】
このワイヤハーネス付き成形カーペット１００は、図１３に示すように、車体のフロアパネル２１０の立体構造に相応する立体構造に成形されてフロアパネル２１０上に組み付けられる成形カーペット１１０と、一部がこの成形カーペット１１０に固定されるワイヤハーネス１２０と、ワイヤハーネス１２０を成形カーペット１１０に固定する帯状フェルト材１３０と、を備えている。
【０００４】
成形カーペット１１０は、図１４に示すように、裏面側から順に、熱溶融性樹脂層１１１と、この熱溶融性樹脂層１１１の上に積層された強度確保用の基礎樹脂層１１２と、この基礎樹脂層１１２の表面に植設される繊維層（不図示）と、を備えている。
【０００５】
成形カーペット１１０の基礎樹脂層１１２は、加熱状況下で加圧成形することで、所定の形状に成形可能な樹脂層である。この基礎樹脂層１１２は、フロアパネル２１０の立体構造に相応する立体構造に成形されると共に、表面側に凸の断面形状のハーネス配索溝１１４が形成される。
【０００６】
ハーネス配索溝１１４は、ワイヤハーネス１２０を配索する溝である。このハーネス配索溝１１４に配索されたワイヤハーネス１２０は、ワイヤハーネス１２０の上に被せられた帯状フェルト材１３０を熱溶融性樹脂層１１１に熱融着させることによって、成形カーペット１１０に固定される。
【０００７】
一部が成形カーペット１１０のハーネス配索溝１１４に固定されるワイヤハーネス１２０は、図１５に示すように、成形カーペット１１０の外側に延出する複数のハーネス構成電線１２１〜１２４を有している。ワイヤハーネス付き成形カーペット１００の保管時に、図１５に示したように、複数のハーネス構成電線１２１〜１２４が成形カーペット１１０の周囲に延出した状態のままでは、大きな保管スペースが必要となってしまう。
【０００８】
そこで、ワイヤハーネス付き成形カーペット１００の保管時には、成形カーペット１１０の外側に延出した複数のハーネス構成電線１２１〜１２４は、図１６に示すように、ループ状に丸めて、成形カーペット１１０の上に載置する。
【先行技術文献】
【特許文献】
【０００９】
【特許文献１】特開２００７−３０２１２８号公報
【発明の概要】
【発明が解決しようとする課題】
【００１０】
ところが、図１６に示したように、成形カーペット１１０の上に複数のハーネス構成電線１２１〜１２４を載せた状態にしておくと、各ハーネス構成電線１２１〜１２４の重量が偏荷重となって作用することで、成形カーペット１１０が型崩れを起こし、フロアパネル２１０への組付け性が悪くなる場合がある。
【００１１】
また、成形カーペット１１０の上に載せているハーネス構成電線１２１〜１２４同士が絡み付いて、ワイヤハーネス付き成形カーペット１００をワイヤハーネス１２０に組み付ける際に、ハーネス構成電線相互の絡み付きを解く作業が必要になり、作業性が低下するという問題が生じた。
【００１２】
このような不都合を防止するために、成形カーペット１１０の強度を向上させることが考えられるが、成形カーペット１１０の強度向上は、成形カーペット１１０の重量化やコストアップを招いてしまう。
【００１３】
そこで、本発明の目的は、上記課題を解消することに係り、成形カーペットの強度を向上させずとも、ワイヤハーネス付き成形カーペットの保管時に、ワイヤハーネスの複数のハーネス構成電線の荷重による成形カーペットの型崩れを防止すると共に、ハーネス構成電線相互の絡み着きを防止することのできるカーペット保護用トレイを提供することにある。
【課題を解決するための手段】
【００１４】
本発明の前述した目的は、下記の構成により達成される。
（１）  車体のフロアパネルの立体構造に相応する立体構造に成形されて前記フロアパネル上に組み付けられる成形カーペットの上面に重ねられると、上方からの負荷による前記成形カーペットの型崩れを抑止可能な硬質材料製のカーペット保護用トレイであって、
一部が前記成形カーペットに固定されて前記フロアパネル上に配索されるワイヤハーネスの、前記成形カーペットの外側に延出する複数のハーネス構成電線を、個別に収容可能な複数のハーネス収容部が、上面に区画形成されたことを特徴とするカーペット保護用トレイ。
【００１５】
（２）  前記ハーネス収容部は、収容する前記ハーネス構成電線を構成する電線及びコネクタを位置規制して、前記電線及び前記コネクタが外部からの振動等で当該収容部外に飛び出すことを抑止する位置規制手段を備えていることを特徴とする上記（１）に記載のカーペット保護用トレイ。
【００１６】
（３）  前記成形カーペットに装備される折り畳み部に対応する位置には、前記成形カーペットと一体に当該カーペット保護用トレイを折り畳み可能にする蛇腹状の可撓部を備えたことを特徴とする上記（１）又は（２）に記載のカーペット保護用トレイ。
【００１７】
（４）  前記複数のハーネス収容部は、当該カーペット保護用トレイを前記蛇腹状の可撓部で折り畳んだときに、同一の形状及び大きさの前記ハーネス収容部同士が重ならないように、前記各ハーネス収容部の形状や配列を設定したことを特徴とする上記（３）に記載のカーペット保護用トレイ。
【００１８】
上記（１）の構成によれば、ワイヤハーネス付き成形カーペットの保管時には、成形カーペットの上面に当該カーペット保護用トレイを重ねておくと、成形カーペットの外側に延出する複数のハーネス構成電線を、成形カーペットの上面に重ねたカーペット保護用トレイの複数のハーネス収容部に収容することで、複数のハーネス構成電線を整然と成形カーペットの上方に収容することができ、ワイヤハーネス付きの成形カーペットの保管時の占有スペースを低減することができる。
【００１９】
また、成形カーペットの外側にはみ出す複数のハーネス構成電線を、カーペット保護用トレイの複数のハーネス収容部に個別に収容することで、ハーネス構成電線相互の絡み付きを防止することができる。そのため、ハーネス構成電線相互の絡み付きによって後のフロアパネルへの組み付け作業が遅延することを防止することもできる。
【００２０】
また、ワイヤハーネス付き成形カーペットは、成形カーペットの上面にカーペット保護用トレイを重ねておくことで、成形カーペットの強度を向上させずとも、複数のハーネス構成電線の荷重による成形カーペットの型崩れを防止することができ、成形カーペットの型崩れによって成形カーペットのフロアパネルへの取り付けが困難になることを防止することができる。
【００２１】
更に、成形カーペットの上面にカーペット保護用トレイを重ねておくことで、複数のワイヤハーネス付き成形カーペットを積み重ねても、成形カーペットの型崩れを防止することができ、多数のワイヤハーネス付き成形カーペットを積み重ねて省スペースに保管することができる。
【００２２】
上記（２）の構成によれば、カーペット保護用トレイの各ハーネス収容部は、収容するハーネス構成電線を構成する電線やコネクタを位置規制する位置規制手段を備えていて、収容しているハーネス構成電線の電線やコネクタなどが搬送時に作用する振動等で、ハーネス収容部から脱落することを防止することができ、搬送時に加わる振動等でハーネス構成電線相互が絡み付くことを防止することができる。
【００２３】
上記（３）の構成によれば、成形カーペットの上面に重ねたカーペット保護用トレイは、成形カーペットと一体に折り畳むことができる。そのため、保管時や搬送時等には、成形カーペット及びカーペット保護用トレイを折り畳んでおくことで、搬送を容易にしたり、保管を容易にすることができる。
【００２４】
上記（４）の構成によれば、カーペット保護用トレイは折り畳んだときに、同一の形状及び大きさの収容部が重ならず、折り重なるトレイが互いに異なる曲げ特性を示すため、折り畳んだカーペット保護用トレイが変形し難く、カーペット保護用トレイの剛性向上によって成形カーペットに対する保護性能を向上させることができる。また、各ハーネス収容部に収容したハーネス構成電線の脱落を防止することもできる。
【発明の効果】
【００２５】
本発明によるカーペット保護用トレイによれば、成形カーペットの強度を向上させずとも、ワイヤハーネス付きの成形カーペットの保管時に、ワイヤハーネスの複数のハーネス構成電線の荷重による成形カーペットの型崩れを防止すると共に、ハーネス構成電線相互の絡み着きを防止することができる。
【図面の簡単な説明】
【００２６】
【図１】図１は本発明に係るカーペット保護用トレイの一実施形態と、この一実施形態のカーペット保護用トレイが載置される成形カーペットと、の斜視図である。
【図２】図２は図１に示したカーペット保護用トレイの側面図である。
【図３】図３は図１に示したカーペット保護用トレイが成形カーペットの上面に重ねられ、成形カーペットの外側に延出するハーネス構成電線がカーペット保護用トレイのハーネス収容部に収容された状態の斜視図である。
【図４】図４はカーペット保護用トレイを組み付けた複数のワイヤハーネス付き成形カーペットが多段に重ねられた状態の斜視図である。
【図５】図５は図３に示した第６のハーネス収容部の拡大斜視図である。
【図６】図６は図５に示した第６のハーネス収容部の具体的構造の一例の平面図である。
【図７】図７は図３に示した第８のハーネス収容部の拡大斜視図である。
【図８】図８は図７に示した第８のハーネス収容部の具体的構造の一例の平面図である。
【図９】図９は本発明の一実施形態のカーペット保護用トレイの蛇腹状の可撓部の配置を示した斜視図である。
【図１０】図１０は図９に示したカーペット保護用トレイの折り畳み状態の斜視図である。
【図１１】図１１はカーペット保護用トレイを組み付けたワイヤハーネス付き成形カーペットが２つ折りに折り畳まれる途中の状態を示す斜視図である。
【図１２】図１２は本発明の一実施形態のカーペット保護用トレイにおける複数のハーネス収容部の配列状態の設定例を示す平面図である。
【図１３】図１３は従来のワイヤハーネス付き成形カーペットの概略構成を示す斜視図である。
【図１４】図１４は図１３に示したワイヤハーネス付き成形カーペットのワイヤハーネスを固定する構造を示す分解斜視図である。
【図１５】図１５は従来のワイヤハーネス付き成形カーペットにおいて、成形カーペットの外側にハーネス構成電線が延出した状態を示す斜視図である。
【図１６】図１６は従来のワイヤハーネス付き成形カーペットにおいて、成形カーペット上にハーネス構成電線が載置された状態の斜視図である。
【発明を実施するための形態】
【００２７】
以下、本発明に係るカーペット保護用トレイの好適な実施形態について、図面を参照して詳細に説明する。
【００２８】
図１〜図１２は本発明に係るカーペット保護用トレイの一実施形態を示したもので、図１は本発明の一実施形態のカーペット保護用トレイと成形カーペットとの斜視図、図２は図１に示したカーペット保護用トレイの側面図、図３は図１に示したカーペット保護用トレイが成形カーペットの上面に重ねられ、成形カーペットの外側に延出するハーネス構成電線がカーペット保護用トレイのハーネス収容部に収容された状態の斜視図、図４はカーペット保護用トレイを組み付けた複数のワイヤハーネス付き成形カーペットが多段に重ねられた状態の斜視図、図５は図３に示した第６のハーネス収容部の拡大斜視図、図６は図５に示した第６のハーネス収容部の具体的構造の一例の平面図、図７は図３に示した第８のハーネス収容部の拡大斜視図、図８は図７に示した第８のハーネス収容部の具体的構造の一例の平面図、図９は本発明の一実施形態のカーペット保護用トレイの蛇腹状の可撓部の配置を示した斜視図、図１０は図９に示したカーペット保護用トレイの折り畳み状態の斜視図、図１１はカーペット保護用トレイを組み付けたワイヤハーネス付き成形カーペットが２つ折りに折り畳まれる途中の状態を示す斜視図、図１２は本発明の一実施形態のカーペット保護用トレイにおける複数のハーネス収容部の配列状態の設定例を示す平面図である。
【００２９】
この一実施形態のカーペット保護用トレイ４は、図１〜図３に示すように、車両のフロアパネル（不図示）上に組み付けられるワイヤハーネス付き成形カーペット６（図３参照）の保管時または搬送時等に、ワイヤハーネス付き成形カーペット６を構成している成形カーペット６１の上面に重ねられて、使用される。
【００３０】
図３に示したワイヤハーネス付き成形カーペット６は、成形カーペット６１と、一部が成形カーペット６１に固定されて車両のフロアパネル上に配索されるワイヤハーネス６２と、を備えている。
【００３１】
成形カーペット６１は、車体のフロアパネルの立体構造に相応する立体構造に成形されて、フロアパネル上に組み付けられるカーペットである。本実施形態に示した成形カーペット６１は、図１に示す車体の幅方向の寸法を２分する中心軸６１１で２つ折りに折り畳み可能になっている。即ち、成形カーペット６１は、中心軸６１１の位置が、谷折りに折り畳まれる折り畳み部６１３になっている。
【００３２】
ワイヤハーネス６２は、その一部が成形カーペット６１に固定されて、成形カーペット６１と一緒に不図示のフロアパネルに組み付けられる。
【００３３】
ワイヤハーネス６２は、成形カーペット６１に固定される不図示の電線群と、この電線群から分岐して成形カーペット６１の外側に延出する複数のハーネス構成電線６２ａ，６２ｂ，６２ｃ，……と，を備えている。
【００３４】
成形カーペット６１の外側に延出する複数のハーネス構成電線６２ａ，６２ｂ，６２ｃ，……は、ワイヤハーネス付き成形カーペット６を車体のフロアパネル上に組み付けた後、フロアパネル上に配索されて、車載の機器に接続される。
【００３５】
本実施形態におけるカーペット保護用トレイ４は、薄皿状に成形された硬質材料製の成形品で、図３に示すように成形カーペット６１の上面に重ねられると、上方からの負荷による成形カーペット６１の型崩れを抑止可能な剛性を備えている。
【００３６】
カーペット保護用トレイ４の材質としては、各種の合成樹脂材料を使用することができる。
【００３７】
本実施形態のカーペット保護用トレイ４は、図１及び図３に示すように、その上面４ａに、複数のハーネス収容部４１ａ，４１ｂ，４１ｃ，……が区画形成されている。
【００３８】
複数のハーネス収容部４１ａ，４１ｂ，４１ｃ，……は、ワイヤハーネス６２の複数のハーネス構成電線６２ａ，６２ｂ，６２ｃ，……を個別に収容可能な凹みである。
【００３９】
第１のハーネス収容部４１ａは第１のハーネス構成電線６２ａを収容し、第２のハーネス収容部４１ｂは第２のハーネス構成電線６２ｂを収容し、第３のハーネス収容部４１ｃは第３のハーネス構成電線６２ｃを収容し、第４のハーネス収容部４１ｄは第４のハーネス構成電線６２ｄを収容し、第５のハーネス収容部４１ｅは第５のハーネス構成電線６２ｅを収容し、第６のハーネス収容部４１ｆは第６のハーネス構成電線６２ｆを収容し、第７のハーネス収容部４１ｇは第７のハーネス構成電線６２ｇを収容し、第８のハーネス収容部４１ｈは第８のハーネス構成電線６２ｈを収容する。第９のハーネス収容部４１ｉ及び第１０のハーネス収容部４１ｊは予備用である。
【００４０】
成形カーペット６１の外側に延出する複数のハーネス構成電線６２ａ，６２ｂ，６２ｃ，……は、図３に示すように、各ハーネス収容部４１ａ，４１ｂ，４１ｃ，……に収容されると、成形カーペット６１の外周にはみ出さない状態に、各ハーネス収容部４１ａ，４１ｂ，４１ｃ，……に保持される。
【００４１】
カーペット保護用トレイ４の上面は略平坦に形成されており、成形カーペット６１の上面にカーペット保護用トレイ４を重ねた複数のワイヤハーネス付き成形カーペット６は、図４に示すように、上下方向に多段に重ねた状態で、保管したり搬送したりすることができる。
【００４２】
カーペット保護用トレイ４の各ハーネス収容部４１ａ，４１ｂ，４１ｃ，……は、図５〜図８に示すように、収容するハーネス構成電線６２ａ，６２ｂ，６２ｃ，……を構成する電線６２１やコネクタ６２２を位置規制する位置規制手段４１１ａ，４１１ｂ，４１１ｃ，……を備えている。
【００４３】
位置規制手段４１１ａ，４１１ｂ，４１１ｃ，……は、各ハーネス収容部４１ａ，４１ｂ，４１ｃ，……の電線６２１やコネクタ６２２が外部からの振動等で当該収容部外に飛び出すことを抑止する。
【００４４】
図５及び図６に示した第６のハーネス収容部４１ｆは、第６のハーネス構成電線６２ｆの電線６２１を位置規制する位置規制手段として、電線６２１が挿通する通路幅を狭めた幅狭通路４１１ａと、電線６２１が挿通する通路を蛇行させる突起部４１１ｂと、を備えている。また、図５及び図６に示した第６のハーネス収容部４１ｆは、第６のハーネス構成電線６２ｆの複数のコネクタ６２２を位置規制する位置規制手段として、コネクタ６２２に当接する複数のコネクタ当接面４１１ｃを備えている。
【００４５】
図７及び図８に示した第８のハーネス収容部４１ｈは、第８のハーネス構成電線６２ｈの電線６２１を位置規制する位置規制手段として、電線６２１が挿通する通路幅を狭めた幅狭通路４１１ｄと、電線６２１が挿通する通路を蛇行させる突起部４１１ｅとを備えている。また、図７及び図８に示した第８のハーネス収容部４１ｈは、第８のハーネス構成電線６２ｈの複数のコネクタ６２２を位置規制する位置規制手段として、これらのコネクタ６２２が当接する複数のコネクタ当接枠４１１ｆを備えている。コネクタ当接枠４１１ｆは、突起部４１１ｅと第８のハーネス収容部４１ｈの内壁面に内接することで、第８のハーネス収容部４１ｈ内に位置決めされている。
【００４６】
また、本実施形態のカーペット保護用トレイ４は、図１及び図９に示すように、成形カーペット６１に装備される折り畳み部６１３に対応する位置に、蛇腹状の可撓部４１３を備えている。
【００４７】
カーペット保護用トレイ４は、蛇腹状の可撓部４１３を谷折りすることで、図１０に示すように、右側のトレイ半体４ｃが左側のトレイ半体４ｄに重なる折り畳み状態にすることができる。
【００４８】
この蛇腹状の可撓部４１３を谷折りするカーペット保護用トレイ４の折り畳みは、図１１に示すように、ワイヤハーネス付き成形カーペット６の上面にカーペット保護用トレイ４を載置している状態でも行うことができる。即ち、蛇腹状の可撓部４１３は、成形カーペット６１と一体に当該カーペット保護用トレイ４を折り畳み可能にしている。
【００４９】
また、本実施形態のカーペット保護用トレイ４は、図１及び図９に示すように、左右のトレイ半体４ｃ，４ｄにも、これらのトレイ半体の前半部４ｃ１，４ｄ１を後半部４ｃ２，４ｄ２の上に折り重ねる蛇腹状の可撓部４１４を備えている。カーペット保護用トレイ４は、保管時に、蛇腹状の可撓部４１３又は蛇腹状の可撓部４１４で折り畳むことで、保管スペースを低減させることができる。
【００５０】
更に、本実施形態のカーペット保護用トレイ４に装備される複数のハーネス収容部４１ａ，４１ｂ，４１ｃ，……は、当該カーペット保護用トレイ４を蛇腹状の可撓部４１３で折り畳んだときに、同一の形状及び大きさの収容部同士が重ならないように、各ハーネス収容部４１ａ，４１ｂ，４１ｃ，……の形状や配列を設定している。
【００５１】
例えば、図１２に示した複数のハーネス収容部の配置例では、ハーネス収容部４１ａ，４１ｂ，４１ｃは、破線で示したハーネス収容部４１ａｋ，４１ｂｋ，４１ｃｋのように、形状や配列を変更する方が望ましい。
【００５２】
以上に説明した一実施形態のカーペット保護用トレイ４では、ワイヤハーネス付き成形カーペット６の保管時には、図３に示したように、成形カーペット６１の上面に当該カーペット保護用トレイ４を重ねておくと、成形カーペット６１の外側に延出する複数のハーネス構成電線６２ａ，６２ｂ，６２ｃ，……を、成形カーペット６１の上面に重ねたカーペット保護用トレイ４の複数のハーネス収容部４１ａ，４１ｂ，４１ｃ，……に収容することで、複数のハーネス構成電線６２ａ，６２ｂ，６２ｃ，……を整然と成形カーペット６１の上方に収容することができ、ワイヤハーネス付き成形カーペット６の保管時の占有スペースを低減することができる。
【００５３】
また、成形カーペット６１の外側にはみ出す複数のハーネス構成電線６２ａ，６２ｂ，６２ｃ，……を、カーペット保護用トレイ４の複数のハーネス収容部４１ａ，４１ｂ，４１ｃ，……に個別に収容することで、ハーネス構成電線６２ａ，６２ｂ，６２ｃ，……相互の絡み付きを防止することができる。
【００５４】
そのため、ハーネス構成電線６２ａ，６２ｂ，６２ｃ，……相互の絡み付きによって後のフロアパネルへの組み付け作業が遅延することを防止することもできる。
【００５５】
また、ワイヤハーネス付き成形カーペット６は、成形カーペット６１の上面にカーペット保護用トレイ４を重ねておくことで、成形カーペット６１の強度を向上させずとも、複数のハーネス構成電線６２ａ，６２ｂ，６２ｃ，……の荷重による成形カーペット６１の型崩れを防止することができ、成形カーペット６１の型崩れによって成形カーペット６１のフロアパネルへの取り付けが困難になることを防止することができる。
【００５６】
更に、成形カーペット６１の上面にカーペット保護用トレイ４を重ねておくことで、図４に示したように、複数のワイヤハーネス付き成形カーペット６を積み重ねても、成形カーペット６１の型崩れを防止することができ、多数のワイヤハーネス付き成形カーペット６を積み重ねて省スペースに保管することができる。
【００５７】
また、カーペット保護用トレイ４は、ワイヤハーネス付き成形カーペット６の保管時や搬送時に使用するもので、ワイヤハーネス付き成形カーペット６を車体のフロアパネルに取り付けたときには、成形カーペット６１から取り外される。そして、成形カーペット６１から取り外されたカーペット保護用トレイ４は、次に保管したり搬送したりする成形カーペット６１に装着することができ、繰り返し使用することができるため、経済的である。
【００５８】
また、一実施形態のカーペット保護用トレイ４の場合、各ハーネス収容部４１ａ，４１ｂ，４１ｃ，……は、収容するハーネス構成電線６２ａ，６２ｂ，６２ｃ，……を構成する電線やコネクタを位置規制する位置規制手段４１１ａ〜４１１ｆを備えていて、収容しているハーネス構成電線の電線やコネクタなどが搬送時に作用する振動等で、ハーネス収容部４１ａ，４１ｂ，４１ｃ，……から脱落することを防止することができ、搬送時に加わる振動等でハーネス構成電線６２ａ，６２ｂ，６２ｃ，……相互が絡み付くことを防止することができる。
【００５９】
また、一実施形態のカーペット保護用トレイ４の場合、成形カーペット６１の上面に重ねたカーペット保護用トレイ４は、図１１に示したように、成形カーペット６１と一体に折り畳むことができる。そのため、保管時や搬送時等には、成形カーペット６１及びカーペット保護用トレイ４を折り畳んでおくことで、搬送を容易にしたり、保管を容易にしたりすることができる。
【００６０】
また、一実施形態のカーペット保護用トレイ４の場合、カーペット保護用トレイ４は折り畳んだときに、同一の形状及び大きさの収容部が重ならず、折り重なるトレイが互いに異なる曲げ特性を示すため、折り畳んだカーペット保護用トレイ４が変形し難く、カーペット保護用トレイ４の剛性向上によって成形カーペット６１に対する保護性能を向上させることができる。また、各ハーネス収容部４１ａ，４１ｂ，４１ｃ，……に収容したハーネス構成電線６２ａ，６２ｂ，６２ｃ，……の脱落を防止することもできる。
【００６１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６２】
例えば、カーペット保護用トレイに装備するハーネス収容部の数量や、各ハーネス収容部の具体的な形状や大きさなどは、これらのハーネス収容部に収容するハーネス構成電線の構成に応じて、適宜に設計変更することができる。
【００６３】
ここで、上述した本発明に係るカーペット保護用トレイの実施形態の特徴をそれぞれ以下［１］〜［４］に簡潔に纏めて列記する。
【００６４】
［１］  車体のフロアパネルの立体構造に相応する立体構造に成形されて前記フロアパネル上に組み付けられる成形カーペット（６１）の上面に重ねられると、上方からの負荷による前記成形カーペット（６１）の型崩れを抑止可能な硬質材料製のカーペット保護用トレイ（４）であって、
一部が前記成形カーペット（６１）に固定されて前記フロアパネル上に配索されるワイヤハーネス（６２）の、前記成形カーペット（６１）の外側に延出する複数のハーネス構成電線（６２ａ，６２ｂ，６２ｃ，……）を、個別に収容可能な複数のハーネス収容部（４１ａ，４１ｂ，４１ｃ，……）が、上面に区画形成されたことを特徴とするカーペット保護用トレイ（４）。
【００６５】
［２］  前記ハーネス収容部（４１ａ，４１ｂ，４１ｃ，……）は、収容する前記ハーネス構成電線（６２ａ，６２ｂ，６２ｃ，……）を構成する電線及びコネクタを位置規制して、前記電線及び前記コネクタが外部からの振動等で当該収容部外に飛び出すことを抑止する位置規制手段（４１１ａ〜４１１ｆ）を備えていることを特徴とする上記［１］に記載のカーペット保護用トレイ（４）。
【００６６】
［３］  前記成形カーペット（６１）に装備される折り畳み部（６１３）に対応する位置には、前記成形カーペット（６１）と一体に当該カーペット保護用トレイ（４）を折り畳み可能にする蛇腹状の可撓部（４１３）を備えたことを特徴とする上記［１］又は［２］に記載のカーペット保護用トレイ（４）。
【００６７】
［４］  前記複数のハーネス収容部（４１ａ，４１ｂ，４１ｃ，……）は、当該カーペット保護用トレイ（４）を前記蛇腹状の可撓部（４１３）で折り畳んだときに、同一の形状及び大きさの前記ハーネス収容部同士が重ならないように、前記各ハーネス収容部（４１ａ，４１ｂ，４１ｃ，……）の形状や配列を設定したことを特徴とする上記［３］に記載のカーペット保護用トレイ（４）。
【符号の説明】
【００６８】
４  カーペット保護用トレイ
６  ワイヤハーネス付き成形カーペット
４１ａ，４１ｂ，４１ｃ，……  ハーネス収容部
６１  成形カーペット
６２  ワイヤハーネス
６２ａ，６２ｂ，６２ｃ，……  ハーネス構成電線
４１１ａ，４１１ｄ  幅狭通路（位置規制手段）
４１１ｂ，４１１ｅ  突起部（位置規制手段）
４１１ｃ  コネクタ当接面（位置規制手段）
４１１ｆ  コネクタ当接枠（位置規制手段）
４１３，４１４  蛇腹状の可撓部
６１３  折り畳み部
６２１  電線
６２２  コネクタ
【図１】
2016086595.tif 000003
【図２】
2016086595.tif 000004
【図３】
2016086595.tif 000005
【図４】
2016086595.tif 000006
【図５】
2016086595.tif 000007
【図６】
2016086595.tif 000008
【図７】
2016086595.tif 000009
【図８】
2016086595.tif 000010
【図９】
2016086595.tif 000011
【図１０】
2016086595.tif 000012
【図１１】
2016086595.tif 000013
【図１２】
2016086595.tif 000014
【図１３】
2016086595.tif 000015
【図１４】
2016086595.tif 000016
【図１５】
2016086595.tif 000017
【図１６】
2016086595.tif 000018